(57)【要約】【課題】情報処理装置において、デジタル放送を視聴可能にするまでの起動時間を確実に短縮させる。【解決手段】情報処理機能部として第１の制御部と第１の制御プログラム記憶部とメモリとを備えた情報処理装置であって、第１の制御部とは独立して設けられている第２の制御部と、第１の制御プログラム記憶部とは独立して設けられ、第２の制御部に読み込ませる制御プログラムおよびテレビ視聴用アプリケーションを記憶する第２のプログラム記憶部と、第２の制御部からの指示に従い、放送データを受信してデコードを行うデジタル放送受信部と、第２の制御部からの指示に従い、映像の表示および音声の再生を行うＡＶ出力部とを備え、デジタル放送受信部とＡＶ出力部との間には、情報処理機能部との間でデータの受け渡しを行うための汎用バスを介さずに、ＡＶデータの受け渡しを行うためのＴＶ視聴用バスが配設されていることを特徴とする。【選択図】図１
2009253377.tif 000002
【特許請求の範囲】
【請求項１】
情報処理機能を実現するための情報処理機能部として、オペレーティングシステムを読み込んで各種制御を行う第１の制御部と、前記第１の制御部にオペレーティングシステムを読み込ませるための制御プログラムを記憶する第１の制御プログラム記憶部と、データを記憶するメモリとを備えた情報処理装置であって、
前記第１の制御部とは独立して設けられている第２の制御部と、
前記第１の制御プログラム記憶部とは独立して設けられ、前記第２の制御部に読み込ませる制御プログラムおよびテレビ視聴用アプリケーションを記憶する第２のプログラム記憶部と、
前記第２の制御部からの指示に従い、デジタルテレビジョン放送のデータである放送データを受信し、デコードを行うデジタルテレビジョン放送受信部と、
前記第２の制御部からの指示に従い、前記デジタルテレビジョン放送受信部がデコードして得られたＡＶデータまたは前記情報処理機能部から出力されるＡＶデータを元に映像の表示および音声の再生を行うオーディオ−ビデオ出力部とを備え、
前記デジタルテレビジョン放送受信部と前記オーディオ−ビデオ出力部との間には、前記情報処理機能部との間でデータの受け渡しを行うための汎用バスを介さずに、ＡＶデータの受け渡しを行うためのＴＶ視聴用バスが配設されている
ことを特徴とする情報処理装置。
【請求項２】
第２の制御部は、テレビ視聴モードで起動された場合には、デジタルテレビジョン放送受信部およびオーディオ−ビデオ出力部に対して、ＴＶ視聴用バスを介したＡＶデータの受け渡しと該ＡＶデータを元に映像の表示および音声の再生とを行わせる制御を行い、ＰＣモードで起動された場合には、第１の制御部からの制御信号に応じて、デジタルテレビジョン放送受信部からのデータの出力先の設定およびオーディオ−ビデオ出力部に処理させるＡＶデータの入力元の設定を含む各種制御を行う
請求項１に記載の情報処理装置。
【請求項３】
当該情報処理装置が備える各種ユニットへの電力供給の有無を制御する電源制御部を備え、
前記電源制御部は、テレビ視聴モードで起動された場合には、情報処理機能部に含まれる各ユニットへの電力供給を行わないよう制御する
請求項１または請求項２に記載の情報処理装置。
【請求項４】
第２の制御部は、録画の開始指示を受け付けると、デジタルテレビジョン放送受信部のデータの出力先として、汎用バスを介して接続される情報処理機能部に含まれるメモリを設定する制御を行う
請求項１から請求項３のうちのいずれか１項に記載の情報処理装置。
【請求項５】
少なくともデジタルテレビジョン放送受信部から情報処理機能部への汎用バスを介したデータの送出の制御を行うバスコントローラと、
前記バスコントローラに用いられるバッファ用メモリとを備え、
前記バッファ用メモリは、少なくとも情報処理機能部が動作可能になるまでの間にデジタルテレビジョン放送受信部から送出されうる放送データを保持することが可能な記憶容量をもち、
前記バスコントローラは、デジタルテレビジョン放送受信部から情報処理機能部へのデータの送出コマンドを受け付けると、受け取り先である情報処理機能部から受け取り可能になった旨の応答コマンドを受け取るまでの間、前記バッファ用メモリにデータを保持させた上で、受け取り先である情報処理機能部へのデータの排出を行う
請求項４に記載の情報処理装置。
【請求項６】
第２の制御部は、テレビ視聴モードで起動された後で、ＰＣモードに以降した場合には、オーディオ−ビデオ出力部に処理させるデータの入力元の設定を、ＴＶ視聴用バスを介して接続される前記デジタルテレビジョン放送受信部から、汎用バスを介して接続される情報処理機能部に含まれるメモリへ切り替える制御を行う
請求項１から請求項５までのうちのいずれか１項に記載の情報処理装置。
【請求項７】
情報処理機能を実現するための情報処理機能部として、オペレーティングシステムを読み込んで各種制御を行う第１の制御部と、前記第１の制御部にオペレーティングシステムを読み込ませるための制御プログラムを記憶する第１の制御プログラム記憶部と、データを記憶するメモリとを備えた情報処理装置と組み合わせて用いられるディスプレイ装置であって、
前記情報処理装置と汎用バスを用いて接続されるディスプレイ装置において、
当該ディスプレイ装置を起動するための制御プログラムおよびテレビ視聴用アプリケーションを記憶する第２のプログラム記憶部と、
前記第２のプログラム記憶部に記憶されている制御プログラムを読み込んで各種制御を行う第２の制御部と、
前記第２の制御部からの指示に従い、デジタルテレビジョン放送のデータである放送データを受信し、デコードを行うデジタルテレビジョン放送受信部と、
前記第２の制御部からの指示に従い、前記デジタルテレビジョン放送受信部がデコードして得られたＡＶデータまたは前記情報処理装置から出力されるＡＶデータを元に映像の表示および音声の再生を行うオーディオ−ビデオ出力部とを備え、
前記デジタルテレビジョン放送受信部と前記オーディオ−ビデオ出力部との間には、前記情報処理機能部との間でデータの受け渡しを行うための汎用バスを介さずに、ＡＶデータの受け渡しを行うためのＴＶ視聴用バスが配設されている
ことを特徴とするディスプレイ装置。
【請求項８】
情報処理機能を実現するための情報処理機能部として、オペレーティングシステムを読み込んで各種制御を行う第１の制御部と、前記第１の制御部にオペレーティングシステムを読み込ませるための制御プログラムを記憶する第１の制御プログラム記憶部と、データを記憶するメモリとを備えた情報処理装置に適用されるデジタル放送視聴方法であって、
デジタルテレビジョン放送のデータである放送データを受信しデコードするデジタルテレビジョン放送受信部と、前記デジタルテレビジョン放送受信部がデコードして得られたＡＶデータまたは前記情報処理機能部から出力されるＡＶデータを元に映像の表示および音声の再生を行うオーディオ−ビデオ出力部との間を、前記情報処理機能部との間でデータの受け渡しを行うための汎用バスを介さないＴＶ視聴用バスで接続し、
前記第１の制御部とは独立して設けられた第２の制御部が、前記第１の制御プログラム記憶部とは独立して設けられた第２のプログラム記憶部に記憶されている制御プログラムおよびテレビ視聴用アプリケーションを読み込んで動作した際に、該制御プログラムおよびテレビ視聴用アプリケーションに従い、前記デジタルテレビジョン放送受信部および前記オーディオ−ビデオ出力部に対して、動作モードに応じた制御を行う
ことを特徴とする情報処理装置のデジタル放送視聴方法。
【発明の詳細な説明】
【技術分野】
【０００１】
本発明は、情報処理装置、それと組み合わせて用いるディスプレイ装置およびデジタル放送視聴方法に関する。
【背景技術】
【０００２】
デジタルテレビジョン放送（以下、単にデジタル放送という。）を視聴可能な情報処理装置に関し、例えば、特許文献１には、デジタルテレビジョン放送受信部を制御するための制御プログラムを記憶したＴＶ用ＲＯＭを備え、ＴＶモードで起動された場合に、ＣＰＵがそのＴＶ用ＲＯＭに記憶された制御プログラムを実行する情報処理装置が記載されている。
【０００３】
また、特許文献２には、それぞれにチューナで受信した受信信号が供給される第１の処理部と第２の処理部とを互いに独立して起動する情報処理装置が記載されている。
【０００４】
また、特許文献３には、ＰＣ電源投入時から単独でＴＶ映像と音声とを出力するパーソナルコンピュータ用オーディオ／ビデオシステムが記載されている。
【０００５】
【特許文献１】特開２００１−３３９６７６号公報
【特許文献２】特開２００３−６７０７３号公報
【特許文献３】特開２００７−３１１９５８号公報
【発明の開示】
【発明が解決しようとする課題】
【０００６】
例えば、特許文献１に記載されている情報処理装置を用いれば、実際にインストールされている情報処理用のオペレーティングシステム（ＯＳ）の起動をせずに、デジタル放送の番組を視聴することができる。しかし、特許文献１に記載されている情報処理装置では、デジタルテレビジョン放送受信部のデコーダを、コンピュータの主記憶メモリに接続させている。また、画像表示部や音声再生部を、情報処理のためのコンピュータの一構成要素としてホストバスで接続させている。
【０００７】
すなわち、特許文献１に記載されている情報処理装置では、ブートＲＯＭの代わりにＴＶ用ＲＯＭを用いて起動処理を行う場合でも、コンピュータの主記憶メモリやホストバス等の初期化処理が必要であり、また、それに起因して他のユニットに対しても初期化処理を行うといったＯＳ相当分の処理が必要になり、時間短縮の効果はそれほど得られない。
【０００８】
また、特許文献２に記載されている情報処理装置では、アナログ放送であれば、ＯＳを起動させずに表示することができる可能性はある。しかし、特許文献２には、チューナより出力される受信信号をＲＧＢ信号に変換して表示することは示されているが、それ以外の処理や、音声の復調に関して何ら記載がされておらず、そのままデジタル放送に対応させることはできない。
【０００９】
例えば、パーソナルコンピュータ等でアナログ放送を短時間で視聴可能にする方法として、ＢＩＯＳに起動用ソフトウェアを組み込む方法がある。
【００１０】
一般に、パーソナルコンピュータのＢＩＯＳに組み込めるものは、パーソナルコンピュータのＯＳを起動するための起動用ソフトウェアである。パーソナルコンピュータのＯＳは、ＢＩＯＳによって、ＨＤＤやＦＤに格納されているＯＳの起動用セクタを検出し、選択されたＯＳをその起動セクタより起動する。アナログ放送の場合、ＢＩＯＳに通常のＯＳを起動する起動用ソフトウェアの他に、ＴＶ専用ＯＳを起動する起動ソフトウェアを組み入れて、その起動ソフトウェアに従い、ＨＤＤ等に格納されているＴＶ専用ＯＳとＴＶ用アプリケーションを起動させることが可能であった。なお、パーソナルコンピュータのＢＩＯＳ内にＴＶ用のアプリケーションが格納されるわけではない。デジタル方法の場合は、記憶容量等の問題によりこの方法での実現が困難である。
【００１１】
ＨＤＤにＴＶ専用ＯＳとＴＶ用アプリケーションを格納する際には、通常の起動セクタとは別のセクタで本来使用されないエリアを利用する必要があるために容量の制限がある。デジタル放送に対応させようと同様の手法を用いた場合、視聴のみと限定しても、圧縮データの復元（例えば、ＭＰＥＧ２のデコード）処理が必要になり、そのためのアプリケーションの容量がより多く必要となり、容量不足になることが考えられる。
【００１２】
また、日本のデジタル放送の場合は、デコードする際に、Ｂ−ＣＡＳカードとの認証が必要であるため、その処理部分も必要になり、さらに多くのアプリケーション容量が必要となる。
【００１３】
なお、特許文献３では、オペレーティングシステムが起動しない時の、ディスプレイ装置と音響再生装置と記憶装置とを駆動する方法が示されているだけである。すなわち、オペレーティングシステムを起動させる時については何ら記載されておらず、情報処理装置として動作させる機能とどのように共存しているかが不明である。
【００１４】
そこで、本発明は、デジタル放送を視聴可能な情報処理装置において、確実に起動時間を短縮させることを目的とする。
【課題を解決するための手段】
【００１５】
本発明による情報処理装置は、情報処理機能を実現するための情報処理機能部として、オペレーティングシステムを読み込んで各種制御を行う第１の制御部と、第１の制御部にオペレーティングシステムを読み込ませるための制御プログラムを記憶する第１の制御プログラム記憶部と、データを記憶するメモリとを備えた情報処理装置であって、第１の制御部とは独立して設けられている第２の制御部と、第１の制御プログラム記憶部とは独立して設けられ、第２の制御部に読み込ませる制御プログラムおよびテレビ視聴用アプリケーションを記憶する第２のプログラム記憶部と、第２の制御部からの指示に従い、デジタルテレビジョン放送のデータである放送データを受信し、デコードを行うデジタルテレビジョン放送受信部と、第２の制御部からの指示に従い、デジタルテレビジョン放送受信部がデコードして得られたＡＶデータまたは情報処理機能部から出力されるＡＶデータを元に映像の表示および音声の再生を行うオーディオ−ビデオ出力部とを備え、デジタルテレビジョン放送受信部とオーディオ−ビデオ出力部との間には、情報処理機能部との間でデータの受け渡しを行うための汎用バスを介さずに、ＡＶデータの受け渡しを行うためのＴＶ視聴用バスが配設されていることを特徴とする。
【００１６】
また、本発明によるディスプレイ装置は、情報処理機能を実現するための情報処理機能部として、オペレーティングシステムを読み込んで各種制御を行う第１の制御部と、第１の制御部にオペレーティングシステムを読み込ませるための制御プログラムを記憶する第１の制御プログラム記憶部と、データを記憶するメモリとを備えた情報処理装置と組み合わせて用いられるディスプレイ装置であって、情報処理装置と汎用バスを用いて接続されるディスプレイ装置において、当該ディスプレイ装置を起動するための制御プログラムおよびテレビ視聴用アプリケーションを記憶する第２のプログラム記憶部と、第２のプログラム記憶部に記憶されている制御プログラムを読み込んで各種制御を行う第２の制御部と、第２の制御部からの指示に従い、デジタルテレビジョン放送のデータである放送データを受信し、デコードを行うデジタルテレビジョン放送受信部と、第２の制御部からの指示に従い、デジタルテレビジョン放送受信部がデコードして得られたＡＶデータまたは情報処理装置から出力されるＡＶデータを元に映像の表示および音声の再生を行うオーディオ−ビデオ出力部とを備え、デジタルテレビジョン放送受信部とオーディオ−ビデオ出力部との間には、情報処理機能部との間でデータの受け渡しを行うための汎用バスを介さずに、ＡＶデータの受け渡しを行うためのＴＶ視聴用バスが配設されていることを特徴とする。
【００１７】
また、本発明による情報処理装置のデジタル放送視聴方法は、情報処理機能を実現するための情報処理機能部として、オペレーティングシステムを読み込んで各種制御を行う第１の制御部と、第１の制御部にオペレーティングシステムを読み込ませるための制御プログラムを記憶する第１の制御プログラム記憶部と、データを記憶するメモリとを備えた情報処理装置に適用されるデジタル放送視聴方法であって、デジタルテレビジョン放送のデータである放送データを受信しデコードするデジタルテレビジョン放送受信部と、デジタルテレビジョン放送受信部がデコードして得られたＡＶデータまたは情報処理機能部から出力されるＡＶデータを元に映像の表示および音声の再生を行うオーディオ−ビデオ出力部との間を、情報処理機能部との間でデータの受け渡しを行うための汎用バスを介さないＴＶ視聴用バスで接続し、第１の制御部とは独立して設けられた第２の制御部が、第１の制御プログラム記憶部とは独立して設けられた第２のプログラム記憶部に記憶されている制御プログラムおよびテレビ視聴用アプリケーションを読み込んで動作した際に、該制御プログラムおよびテレビ視聴用アプリケーションに従い、デジタルテレビジョン放送受信部および前記オーディオ−ビデオ出力部に対して、動作モードに応じた制御を行うことを特徴とする。
【発明の効果】
【００１８】
本発明によれば、デジタル放送を視聴可能な情報処理装置において、確実に起動時間を短縮させることができる。
【発明を実施するための最良の形態】
【００１９】
以下、本発明の実施形態を図面を参照して説明する。図１は、本発明による情報処理装置の構成例を示すブロック図である。図１に示す情報処理装置１は、情報処理機能を実現するための情報処理機能部１０として、第１の制御部１１と第１のプログラム記憶部１２とメモリ１３とを備えた情報処理装置であって、本実施形態では、情報処理機能部１０とは独立して動作する、第２の制御部２１と、第２のプログラム記憶部２２と、デジタルテレビジョン放送受信部３０と、オーディオ−ビデオ出力部４０とを備えている。
【００２０】
第１の制御部１１は、例えば、ＯＳを読み込んで各種制御を行うＣＰＵである。また、第１のプログラム記憶部１２は、例えば、第１の制御部１１にＯＳを読み込ませるための制御プログラム（起動ソフトウェア）を記憶するＲＯＭである。また、メモリ１３は、データを記憶する各種記憶装置（ＲＡＭやＨＤＤ）である。
【００２１】
第２の制御部２１は、第１の制御部１１とは独立して設けられたテレビ機能用のプロセッサユニット（例えば、制御用マイコン）である。また、第２のプログラム記憶部２２は、第１の制御部１１とは独立して設けられたテレビ機能用の記憶装置である。第２のプログラム記憶部２２には、第２の制御部２１に読み込ませる制御プログラムおよびテレビ視聴用アプリケーションが記憶される。
【００２２】
デジタルテレビジョン放送受信部３０（以下、デジタル放送受信部３０という。）は、第２の制御部２１からの指示に従い、デジタルテレビジョン放送のデータである放送データを受信し、デコードを行うユニットである。ここでは、ユニットをひとまとまりで動作するチップ、回路等の総称として用いている。
【００２３】
オーディオ−ビデオ出力部４０（以下、ＡＶ出力部４０という。）は、第２の制御部２１からの指示に従い、デジタル放送受信部３０がデコードして得られたＡＶデータまたは情報処理機能部１０から出力されるＡＶデータを元に映像の表示および音声の再生を行う。ここでは、ＡＶデータをオーディオ信号とビデオ信号の総称として用いている。なお、デジタル放送受信部３０から出力されるＡＶデータと、情報処理機能部１０から出力されるＡＶデータとが、同一フォーマットである必要はない。
【００２４】
図１に示すように、本実施形態では、デジタル放送受信部３０とＡＶ出力部４０とは、情報処理機能部１０との間でデータの受け渡しを行うための汎用のバスＢ１を介さないバス（ＴＶ視聴用バス）Ｂ２で接続され、直接ＡＶデータの受け渡しを行う構成となっている。
【００２５】
このような構成において、第２の制御部２１は、当該情報処理装置１がテレビ視聴モード（テレビ視聴のみを行うモード）で起動された場合には、デジタル放送受信部３０およびＡＶ出力部４０に対して、ＴＶ視聴用バスＢ２を介したＡＶデータの受け渡しと該ＡＶデータを元に映像の表示および音声の再生とを行わせる制御を行う。また、ＰＣモード（情報処理機能を使用するモード。録画、再生を行うビデオモードを含む。）で起動された場合には、第２の制御部２１は、第１の制御部１１からの制御信号に応じて、デジタル放送受信部３０からのデータの出力先の設定およびＡＶ出力部４０に処理させるＡＶデータの入力元の設定を含む各種制御を行う。なお、第２の制御部２１は、具体的には、第２のプログラム記憶部２２に記憶されている制御プログラムを読み込んで実行することにより、ＴＶ視聴用アプリケーションを読み込んだり、起動モードを判定して自律制御を行ったり、第１の制御部１１からの制御信号に従った制御を行ったりする。
【００２６】
このような構成によって、テレビ視聴モードで起動した場合の起動時間（立ち上げてからテレビ放送が視聴できるまでに要する時間）を確実に短縮させることを可能としている。それは、情報処理機能部１０を動作させずに、放送データを受信し、デコードし、ＡＶ出力部４０に直接受け渡しているからである。
【００２７】
また、図２に示すように、さらに電源制御部２３を備えていてもよい。図２は、本発明による情報処理装置の他の構成例を示すブロック図である。電源制御部２３は、当該情報処理装置１が備える各種ユニットへの電力供給の有無を制御する。なお、各種ユニットは、図２に示す例では、情報処理機能部１０に含まれる第１の制御部１１、第１のプログラム記憶部１２、メモリ１３や第２の制御部２１、第２のプログラム記憶部２２、デジタルテレビジョン放送受信部３０、オーディオ−ビデオ出力部４０が該当する。なお、これらの一部に対してのみ制御を行う場合もある。電源制御部２３は、テレビ視聴モードで起動された場合には、情報処理機能部１０に含まれる各ユニット（本例では、第１の制御部１１と第１のプログラム記憶部１２とメモリ１３）への電力供給を行わないよう制御する。
【００２８】
また、第２の制御部２１は、録画の開始指示を受け付けた場合には、デジタル放送受信部３０のデータの出力先として、汎用バスＢ１を介して接続される情報処理機能部１０に含まれるメモリ１３を設定する制御を行ってもよい。このような場合には、情報処理機能部１０に含まれるメモリ１３を利用した録画も可能となる。録画の開始指示は、例えば、ユーザ操作に応じてテレビ機能に対する制御指示を入力するＴＶ機能用入力インタフェース（図示せず。）を介して受け付けてもよい。また、第１の制御部１１からの制御信号により受け付けることも可能である。
【００２９】
この場合において、さらに図２に示すように、バスコントローラ２４と、バッファ用メモリ２５とを備えることによって、情報処理機能部１０の起動を待たずに、録画を開始することも可能である。
【００３０】
バスコントローラ２４は、少なくともデジタル放送受信部３０から情報処理機能部１０への汎用バスを介したデータ（ここでは、録画用データ）の送出の制御を行う。また、バッファ用メモリ２４は、バスコントローラ２４に用いられる一次保存用の記憶装置であって、少なくとも情報処理機能部１０が動作可能になるまでの間にデジタル放送受信部３０から送出されうる放送データを保持することが可能な記憶容量をもつ記憶装置である。バスコントローラ２４は、例えば、デジタル放送受信部３０から情報処理機能部１０へのデータの送出コマンドを受け付けると、受け取り先である情報処理機能部１０から受け取り可能になった旨の応答コマンドを受け取るまでの間、バッファ用メモリ２５に送出データを保持させた上で、受け取り先である情報処理機能部１０へのデータの排出を行う。
【００３１】
また、第２の制御部２１は、テレビ視聴モードで起動された後で、ＰＣモードに以降した場合には、ＡＶ出力部４０に処理させるデータの入力元の設定を、ＴＶ視聴用バスを介して接続されるデジタル放送受信部３０から、汎用バスを介して接続される情報処理機能部１０に含まれるメモリ１３に切り替える制御を行ってもよい。このような場合には、テレビ映像から直に情報処理機能部１０上で動作しているＯＳによる表示画面へ切り替えることが可能となる。なお、情報処理機能部１０上で動作しているＯＳによる表示画面とテレビ映像とを合成して出力するよう制御することも可能である。
【００３２】
以下、より具体的な実施形態について説明する。図３は、本発明の一実施形態としてのパーソナルコンピュータ１の構成例を示すブロック図である。図３に示すパーソナルコンピュータ１は、制御マイコン５０と、ＴＶ起動用ＲＯＭ６０と、電源制御回路７０と、制御ボタン・リモコンＩ／Ｆ８０と、デジタル放送受信回路部１００と、ＡＶ回路部２００と、情報処理機能部３００と、モニタ２と、スピーカ３とを備える。また、図示省略しているが、パーソナルコンピュータ１は、当該パーソナルコンピュータ１に電源を給電するための電源回路９０を備える。本実施形態のパーソナルコンピュータ１では、デジタル放送受信回路部１００よりＴＳデータ（放送データ）のデコード信号であるＡＶデータを、情報処理機能部３００を経由させないＴＶ視聴用バスＢ２でＡＶ回路部２００に出力可能な構成となっている。
【００３３】
なお、図３において、制御マイコン５０は、図１および図２で示した第２の制御部２１に相当する。また、ＴＶ起動用ＲＯＭ６０は、第２のプログラム記憶部２２に相当する。また、電源制御回路７０は、電源制御部２３に相当する。また、デジタル放送受信回路部１００は、デジタル放送受信部３０に相当する。また、ＡＶ回路部２００は、ＡＶ出力部４０に相当する。また、情報処理機能部３００は、情報処理機能部１０に相当する。
【００３４】
また、図３に示す例では、パーソナルコンピュータ１の筐体に接続される態様でモニタ２とスピーカ３とを備える例を示しているが、一体型のように筐体内に備えていてもよい。
【００３５】
また、図３では、情報処理機能部３００を１つのブロックで示しているが、情報処理機能部３００は、一般的なパーソナルコンピュータが備える情報処理機能に必要な各種ユニットの集合体を指している。例えば、ＣＰＵや入出力装置、記憶装置といったチップ単位のものだけでなくそれらを連携させて稼働させるための回路も含む。
【００３６】
制御マイコン５０は、主にデジタル放送受信回路部１００とＡＶ回路部２００とを制御するためのマイクロコンピュータである。また、制御マイコン５０は、パーソナルコンピュータ１においてテレビ視聴を情報処理機能から独立して実行可能とするための自律制御を行う。制御マイコン５０は、後述するＴＶ起動用ＲＯＭに記憶されているプログラム等（プログラムだけでなく設定値等のデータも含む。）に従って動作することにより、自律制御を含む各種制御を行う。なお、各種制御には、後述する制御ボタン・リモコンＩ／Ｆ８０を介して入力される情報や、情報処理機能部３００からの制御信号に応じて行うデジタル放送受信回路部１００やＡＶ回路部２００に対する制御も含まれる。
【００３７】
デジタル放送受信回路部１００に対する制御として、例えば、チューナに選局のためのチャンネルを設定したりする制御や、ＴＳデータの入力元を切り替える制御や、ＴＳデータを復調するためのデバイス（ＭＰＥＧデコーダ）を初期化し、内部プログラムをＩＣ内部に展開し実行させる制御や、ＣＡＳ（認証システム）の制御を行う。また、ＡＶ回路部２００に対する制御として、例えば、表示制御ＩＣの初期化や表示位置の切り替え、拡大縮小等の制御や、音量の制御を行う。
【００３８】
制御信号は、制御ボタンやリモコンからＴＶ機能を制御することと同様なことを、情報処理機能部３００（具体的には、情報処理機能部３００が動作させているＯＳ上で起動しているＴＶ機能制御用のアプリケーション）から行えるように、制御マイコン５０に対して定義されたコマンド制御用の信号であればよい。
【００３９】
ＴＶ起動用ＲＯＭ６０は、制御マイコン５０に読み込ませるプログラム等を記憶する記憶手段である。ＴＶ起動用ＲＯＭ６０が記憶するプログラム等には、例えば、情報処理機能部３００からの制御信号に従ってデジタル放送受信回路部１００やＡＶ回路部２００を制御する処理だけでなく、制御ボタン・リモコンＩ／Ｆ８０から入力される信号を受け付け自律してテレビ放送を視聴するための各種処理を含んだＴＶ視聴用アプリケーションや、そのＴＶ視聴用アプリケーションを読み込んで実行するための制御プログラムや、ＴＶ視聴用アプリケーションや制御プログラムが参照する設定データが含まれる。
【００４０】
電源制御回路７０は、当該パーソナルコンピュータ１が備える各種ユニットへの電源入力を制御する。電源制御回路７０は、パーソナルコンピュータ１全体に電力を供給するためのメイン電源の回路である電源回路９０より給電される電力の各ユニットへの入力を、起動を指示された際の動作モードに応じて制御する。例えば、パーソナルコンピュータ１の全ての機能を実行するために必要なユニットに対して電力を供給したり、テレビ視聴機能だけを実行するために必要なユニットに対して電力を供給するというように、制御対象とされた各ユニットに対する電源入力のＯＮ／ＯＦＦを切り替える。なお、電源制御回路信号７０は、特に動作モードを意識せずに、動作モードに応じた信号や制御マイコン５０からの制御信号等の入力ポートが取りうる値に対し予め定められたＯＮ／ＯＦＦ制御を行ってもよい。
【００４１】
図４は、パーソナルコンピュータ１における電源制御の例を示す説明図である。図４に示すように、例えば、パーソナルコンピュータ１では、制御マイコン５０とＴＶ起動用ＲＯＭ６０と制御ボタン・リモコンＩ／Ｆ８０と電源制御回路７０とに対しては、電源回路９０より常時給電されるよう構成し、デジタル放送受信回路部１００とＡＶ回路部２００と情報処理機能部３００とに対しては、電源制御回路７０による電源入力のＯＮ／ＯＦＦ制御に応じて電力が供給されるよう構成する。
【００４２】
すなわち、待機時の状態では、制御マイコン５０、ＴＶ起動用ＲＯＭ６０、制御ボタン・リモコンＩ／Ｆ８０および電源制御回路７０に対して給電をし、その後の動作モードに応じて、デジタル放送受信回路部１００、ＡＶ回路部２００または情報処理機能部３００それぞれに対して給電をしたりしなかったりする。
【００４３】
ここで、例えば、パーソナルコンピュータ１がテレビ視聴モードで起動されたとする。電源制御回路７０は、本例の場合、情報処理機能部３００への電力供給を行わずに、デジタル放送受信回路部１００とＡＶ回路部２００とに対してのみ電力を供給するようにＯＮ／ＯＦＦ制御を行えばよい。また、例えば、ＰＣモードで起動された場合には、全て（デジタル放送受信回路部１００とＡＶ回路部２００と情報処理機能部３００と）に電力を供給するようにＯＮ／ＯＦＦ制御を行えばよい。この場合にデジタル放送受信回路部１００とＡＶ回路部２００への電力供給を自動で行なわずに、情報処理機能部３００からの指示を受けた制御マイコン５０からの制御信号に応じて、電力供給を行うようにしてもよい。また、テレビ視聴モードで稼働している最中に通常モードに移行する旨の指示がされた場合には、追加して情報処理機能部３００へ電力を供給するようにしてもよい。
【００４４】
なお、動作モードは、例えば、筐体やリモコンに、テレビ機能単体の起動を指示するための電源ボタンと、情報処理機能の起動を指示するための電源ボタンとを設けておき、押された電源ボタンを区別しうる起動信号を入力することにより判定してもよい。
【００４５】
制御ボタン・リモコンＩ／Ｆ８０は、筐体やリモコンに設けられたテレビ機能に対する各種制御ボタン（電源ＯＮ／ＯＦＦやチャンネル、音量等を指示するための制御ボタン）等の操作内容に応じた制御信号を入力するためのインタフェースである。制御ボタン・リモコンＩ／Ｆ８０は、例えば、接点入力回路や赤外線信号入力回路によって実現される。
【００４６】
デジタル放送受信回路部１００は、ＴＳデータを受信するとともにデコードを行うユニットである。図５は、デジタル放送受信回路部１００の構成例を示すブロック図である。図５に示す例では、デジタル放送受信回路部１００は、デジタルチューナ１１０と、ＭＰＥＧデコーダ１２０と、ＣＡＳカードリーダ１３０（図では単に”ＣＡＳ”と表示している。）とを含む。なお、これらは、デジタル放送を視聴するためのユニットとして、当業者にとってよく知られているものである。なお、デジタル放送受信回路部１００の周辺機器として、図５には、Ｂｕｓコントローラ１４０と、バッファ用メモリ１５０と、セレクタ１６０とを示している。なお、本例では、これら周辺機器を含めてデジタル放送受信回路部１００としている。
【００４７】
図５におけるＢｕｓコントローラ１４０は、図２で示したバスコントローラ２４に相当する。また、バッファ用メモリ１５０は、バッファ用メモリ２５に相当する。
【００４８】
デジタルチューナ１１０は、ＴＳデータを受信する。ＭＰＥＧデコーダ１２０は、デジタルチューナ１１０が受信したＴＳデータに対してデコード処理を行い、ＡＶデータ（ここでは、デジタルビデオ信号とデジタルオーディオ信号と）に復元する。なお、このデコード処理には、必要に応じてＢ−ＣＡＳカードとの認証処理も含まれる。デコード処理は、制御マイコン５０による初期化制御によって当該ＭＰＥＧデコーダ１２０に展開された内部プログラムに従って動作することにより実行される。ＣＡＳカードリーダ１３０は、認証のための情報を記憶したＢ−ＣＡＳカードからデータを読み出す。
【００４９】
Ｂｕｓコントローラ１４０は、情報処理機能部３００との間でＴＳデータを受け渡すための汎用バスＢ１（例えば、ＵＳＢバス等）に対して実際にＴＳデータを排出するためのバス制御をおこなう。本実施形態では、Ｂｕｓコントローラ１４０は、少なくとも制御マイコン５０からの排出コマンドに応じて、デジタル放送受信回路部１００から情報処理機能部３００へＴＳデータ（ここでは、録画データとしてのＴＳデータ）の排出を行うためのバス制御において、バッファ用メモリ１５０を用いた一時保存処理を行う。
【００５０】
Ｂｕｓコントローラ１４０は、制御マイコン５０からの、デジタル放送受信回路部１００から情報処理機能部３００へのデータの排出コマンドが発行された際に、情報処理機能部３００が受け取り可能になるまでの間（すなわち、情報処理機能部３００の起動時間分）、排出データであるＴＳデータをバッファ用メモリ１５０に蓄積させる。そして、情報処理機能部３００から受け取り可能になった旨の通知を受けた後、実際にデータの排出を行う。なお、Ｂｕｓコントローラ１４０は、このような録画データとして情報処理機能部３００に受け渡されるＴＳデータの一時保存処理の他に、情報処理機能部３００が動作させているＯＳ上で起動しているＴＶ機能制御用のアプリケーションとの認証を行い、汎用バスにＴＳデータを出力する際の暗号化処理を行ってもよい。
【００５１】
また、ＡＶ回路部２００は、映像の表示や音声の再生を行うユニットである。図６は、ＡＶ回路部２００の構成例を示すブロック図である。図６に示す例では、ＡＶ回路部２００は、映像の表示用機能として、表示制御ＩＣ２１０と、ＶＩＤＥＯ信号変換回路２２０とを含む。また、音声の再生用機能として、ミキシング・アンプ回路２５０と、Ｄ−Ａコンバータ２６０とを含む。なお、これらは、映像の表示および音声の再生を行うためのユニットとして、当業者にとってよく知られているものである。
【００５２】
表示制御ＩＣ２１０は、例えば、スケーリング処理機能を持った表示合成用制御デバイス（スケーラとも呼ばれる。）である。ＶＩＤＥＯ信号変換回路２２０は、デジタル放送受信回路部１００または情報処理機能部３００から入力されるビデオ信号を表示制御ＩＣ２１０の入力フォーマット形式に変換する回路である。なお、フォーマット形式を合わせるのであれば、直接表示制御ＩＣ２１０に入力することも可能である。表示制御ＩＣ２１０は、制御マイコン５０からの指示に従い、フォーマット変換されて入力されるデジタル放送受信回路部１００からのビデオ信号や情報処理機能部３００からのビデオ信号に対して、スケーリング処理等を行いつつ、モニタ２に入力する表示信号に変換する。表示制御ＩＣ２１０は、例えば、デジタル放送受信回路部１００からのビデオ信号と、情報処理機能部３００からのビデオ信号とを合成して、モニタ２への表示信号を生成してもよい。
【００５３】
また、ミキシング・アンプ回路２５０は、オーディオ信号のミキシングや音量制御を行う回路である。Ｄ−Ａコンバータ２６０は、デジタル放送受信回路部１００や情報処理機能部３００から入力されるデジタルオーディオ信号をアナログ形式のオーディオ信号に変換する。なお、フォーマット形式を合わせるのであれば、直接ミキシング・アンプ回路２５０に入力することも可能である。ミキシング・アンプ回路２５０は、制御マイコン５０からの指示に従い、フォーマット変換されて入力されるデジタル放送受信回路部１００からのオーディオ信号や情報処理機能部３００からのオーディオ信号に対して、ミキシングや音量制御を行い、スピーカ３に入力するオーディオ信号を生成する。ミキシング・アンプ回路２５０は、例えば、デジタル放送受信回路部１００からのオーディオ信号と、情報処理機能部３００からのオーディオ信号とを合成して、スピーカ３へのオーディオ信号を生成してもよい。
【００５４】
次に、本実施形態のパーソナルコンピュータ１におけるテレビ視聴方法および録画方法について説明する。
【００５５】
まず、テレビ視聴モードでのテレビ視聴方法について説明する。図７は、テレビ視聴モードで起動された場合の各ユニットの稼働状態の例を示す説明図である。図７では、稼働しているユニットを実線で表し、稼働していないユニットを点線で表している。
【００５６】
なお、図７において実線で示されているユニットのうち、制御マイコン５０、ＴＶ起動用ＲＯＭ６０、制御ボタン・リモコンＩ／Ｆ８０および電源制御回路７０には、電源回路９０に電源投入されたときに、電力が供給されている。
【００５７】
制御マイコン５０は、電力が供給されると、ＴＶ起動用ＲＯＭ６０に記憶されている制御プログラムを読み込んで動作を開始する。制御マイコン５０は、例えば、制御プログラムに従い、自律制御を開始する。なお、電源回路９０に電源が投入されただけであれば、ユーザ操作による起動指示を受け付けるまで、待機状態でいればよい。すなわち、制御ボタン・リモコンＩ／Ｆ８０を有効にし、制御ボタン・リモコンＩ／Ｆ８０を介してユーザ操作による起動指示を待てばよい。
【００５８】
ここで、ユーザが、当該パーソナルコンピュータ１に向けてテレビ視聴モードでの起動を指示する操作をしたとする。これに対し、当該パーソナルコンピュータ１では、制御ボタン・リモコンＩ／Ｆ８０がユーザ操作の内容を示す情報を制御マイコン５０に入力する。
【００５９】
制御マイコン５０は、制御ボタン・リモコンＩ／Ｆ８０からユーザ操作の内容を示す情報としてテレビ視聴モードでの起動を指示する旨の情報を受け取ると、電源制御回路７０を制御して、デジタル放送受信回路部１００と、ＡＶ回路部２００とに電力を供給させるとともに、ＴＶ視聴用アプリケーションを展開しテレビ視聴モードで実行する。例えば、動作モードをパラメータとして指定してＴＶ視聴用アプリケーションを実行すればよい。なお、電源制御回路７０は、制御マイコン５０からの指示ではなく、動作モードに対応した起動信号が入力されたことを検知した場合に、起動信号に応じたユニットへ電力を供給するよう制御してもよい。
【００６０】
テレビ視聴モードでＴＶ視聴用アプリケーションを実行している制御マイコン５０は、ＴＶ視聴用アプリケーションに記述されたプログラムに従い、デジタル放送受信回路部１００とＡＶ回路部２００を初期化する。例えば、デジタル放送受信回路部１００のデジタルチューナ１１０に対し、初期値を設定するコマンドを発行したり、セレクタ１６０に対し、ＴＳデータの入力元をデジタルチューナ１１０とする旨のコマンドを発行したり、ＭＰＥＧデコーダ１３０にデコード処理（ＣＡＳ制御を含む）を行わせるためのプログラムを展開し実行させたりする。
【００６１】
また、例えば、ＡＶ回路部２００の表示制御ＩＣ２１０に対し、初期値を設定するコマンドを発行したり、ミキシング・アンプ回路２５０に対し、初期値を設定するコマンドを発行したりする。例えば、表示制御ＩＣ２１０およびミキシング・アンプ回路２５０に対する初期値に、データ源をデジタル放送受信回路部１００のみとする旨の設定値を与えてもよい。
【００６２】
また、制御マイコン５０は、デジタル放送受信回路部１００とＡＶ回路部２００の間のＴＶ視聴用バスＢ２も初期化する。また、Ｂｕｓコントローラ１４０に対し、少なくともデジタル放送受信回路部１００からバッファ用メモリ１５０へのデータの排出ができるよう初期値を設定するコマンドを発行してもよい。
【００６３】
制御マイコン５０は、初期化処理が完了すると、デジタル放送受信回路部１００にＴＳデータの受信を開始させる。デジタル放送受信回路部１００では、デジタルチューナ１１０がＴＳデータの受信を開始し、ＴＳデータを受信すると、ＭＰＥＧデコーダ１２０が受信したＴＳデータをデコードする。制御マイコン５０は、ＭＰＥＧデコーダ１２０がＴＳデータのデコード処理を完了したことを受けて、デコードして得られたＡＶデータを、ＴＶ視聴用バスＢ２を用いてＡＶ回路部２００に出力させるとともに、ＡＶ回路部２００に映像の表示および音声の再生を開始させる。このとき、制御マイコン５０は、ＡＶ回路部２００を制御して、テレビ映像に、テレビ機能の現在の状態を提示するための情報（チャンネル番号等）を合成させて表示させてもよい。
【００６４】
ＡＶ回路部２００では、ＶＩＤＥＯ信号変換回路２２０が、デジタル放送受信回路部１００から出力されるビデオ信号に対してフォーマット変換を行う。そして、表示制御ＩＣ２１０が、フォーマット変換されたビデオ信号に対して、スケーリング処理等を行いつつ、表示信号に変換してモニタ２に出力する。
【００６５】
また、ＡＶ回路部２００では、上記ビデオ信号処理に並行して、Ｄ−Ａコンバータ２５０が、デジタル放送受信回路部１００から出力されるオーディオ信号をアナログ信号に変換する。そして、ミキシング・アンプ回路２４０が、アナログ信号に変換されたオーディオ信号に対して、ミキシングや音量制御を行い、スピーカ３に出力する。このようにして、情報処理機能部３００を用いずに、テレビ放送を視聴可能にする。
【００６６】
また、図８は、ＰＣモードで起動された場合の各ユニットの稼働状態の例を示す説明図である。図８でも、稼働しているユニットを実線で表し、稼働していないユニットを点線で表している。なお、待機状態に移行するまでは、動作モードに関わらず同様である。
【００６７】
ここで、ユーザが、当該パーソナルコンピュータ１に向けてＰＣモードでの起動を指示する操作をしたとする。これに対し、当該パーソナルコンピュータ１では、制御ボタン・リモコンＩ／Ｆ８０がユーザ操作の内容を示す情報を制御マイコン５０に入力する。
【００６８】
制御マイコン５０は、ユーザ操作の内容を示す情報としてＰＣモードでの起動を指示する旨の情報を受け取ると、電源制御回路７０を制御して、情報処理機能部３００とＡＶ回路部２００とに電力を供給させるとともに、ＴＶ視聴用アプリケーションを展開しＰＣモードで実行する。なお、電源制御回路７０は、制御マイコン５０からの指示ではなく、動作モードに対応した起動信号が入力されたことを検知した場合に、起動信号に応じたユニットへ電力を供給するよう制御してもよい。また、制御マイコン５０は、情報処理機能部３００からの制御信号に従って動作するよう記述されたＰＣモード用のアプリケーションを展開して実行するようにしてもよい。
【００６９】
ＰＣモードでＴＶ視聴用アプリケーションを実行している制御マイコン５０は、情報処理機能部３００からの制御信号を受け付ける状態に移行する。なお、制御ボタン・リモコンＩ／Ｆ８０を介したユーザ操作の情報については、引き続き直接制御マイコン５０で受け付けるようにしてもよいし、情報処理機能部３００で受け付けさせて、情報処理機能部３００からの制御信号として受け付けるようにしてもよい。
【００７０】
情報処理機能部３００では、電力が供給されると、通常の立ち上げ動作を開始すればよい。例えば、情報処理機能部３００のＢＩＯＳによってＣＰＵにＯＳを展開し実行させる。ここで、ＯＳによる初期化処理の一部として、制御マイコン５０に対して、ＡＶ回路部２００の初期化要求コマンド（制御信号）が発行される。
【００７１】
制御マイコン５０は、情報処理機能部３００からＡＶ回路部２００の初期化要求コマンドを受け取ると、ＡＶ回路部２００を初期化する。例えば、ＡＶ回路部２００の表示制御ＩＣ２１０に対し、初期値を設定するコマンドを発行したり、ミキシング・アンプ回路２５０に対し、初期値を設定するコマンドを発行したりする。例えば、表示制御ＩＣ２１０およびミキシング・アンプ回路２５０に対する初期値に、データ源を情報処理機能部３００のみとする旨の設定値を与えてもよい。
【００７２】
以降は、情報処理機能部３００からのＡＶデータ排出コマンドを受け付ける度に、情報処理機能部３００からのＡＶデータを、ＡＶ回路部２００に処理させればよい。
【００７３】
ＡＶ回路部２００では、ＶＩＤＥＯ信号変換回路２２０が、情報処理機能部３００から出力されるビデオ信号に対してフォーマット変換を行う。そして、表示制御ＩＣ２１０が、フォーマット変換されたビデオ信号に対して、スケーリング処理等を行いつつ、表示信号に変換してモニタ２に出力する。なお、情報処理機能部３００から表示制御ＩＣ２１０に合わせたフォーマット形式でビデオ信号が入力される場合には、ＶＩＤＥＯ信号変換回路２２０の動作は省略される。
【００７４】
また、ＡＶ回路部２００では、上記ビデオ信号処理に並行して、Ｄ−Ａコンバータ２５０が、情報処理機能部３００から出力されるオーディオ信号をアナログ信号に変換する。そして、ミキシング・アンプ回路２４０が、アナログ信号に変換されたオーディオ信号に対して、ミキシングや音量制御を行い、スピーカ３に出力する。なお、情報処理機能部３００からアナログ信号のオーディオ信号が入力される場合には、Ｄ−Ａコンバータ２５０の動作は省略される。このようにして、情報処理機能部３００からのＡＶデータを元にした、映像表示や音声再生を可能にする
【００７５】
また、図９は、テレビ機能と情報処理機能とを両方動作させる場合の各ユニットの稼働状態の例を示す説明図である。図９でも、稼働しているユニットを実線で表し、稼働していないユニットを点線で表している。なお、待機状態に移行するまでは、動作モードに関わらず同様である。
【００７６】
ここで、ユーザが、当該パーソナルコンピュータ１に向けてテレビ機能と情報処理機能とを両方動作させるモード（以下、兼用モードという。）での起動を指示する操作をしたとする。これに対し、当該パーソナルコンピュータ１では、制御ボタン・リモコンＩ／Ｆ８０がユーザ操作の内容を示す情報を制御マイコン５０に入力する。
【００７７】
制御マイコン５０は、ユーザ操作の内容を示す情報として兼用モードでの起動を指示する旨の情報を受け取ると、電源制御回路７０を制御して、デジタル放送受信回路部１００とＡＶ回路部２００と情報処理機能部３００とに電力を供給させるとともに、ＴＶ視聴用アプリケーションを展開し兼用モードで実行する。なお、電源制御回路７０は、制御マイコン５０からの指示ではなく、動作モードに対応した起動信号が入力されたことを検知した場合に、起動信号に応じたユニットへ電力を供給するよう制御してもよい。また、制御マイコン５０は、制御ボタン・リモコンＩ／Ｆ８０を介してユーザ操作の情報と、情報処理機能部３００からの制御信号とに従って動作するよう記述された兼用モード用のアプリケーションを展開して実行するようにしてもよい。
【００７８】
兼用モードでＴＶ視聴用アプリケーションを実行している制御マイコン５０は、制御ボタン・リモコンＩ／Ｆ８０を介したユーザ操作だけでなく、情報処理機能部３００からの制御信号を受け付ける状態に移行した上で、即座にデジタル放送受信回路部１００とＡＶ回路部２００の初期化処理を開始する。例えば、デジタル放送受信回路部１００のデジタルチューナ１１０に対し、初期値を設定するコマンドを発行したり、セレクタ１６０に対し、ＴＳデータの入力元をデジタルチューナ１１０とする旨のコマンドを発行したり、ＭＰＥＧデコーダ１３０にデコード処理（ＣＡＳ制御を含む）を行わせるためのプログラムを展開させ実行させたりする。
【００７９】
また、例えば、ＡＶ回路部２００の表示制御ＩＣ２１０に対し、初期値を設定するコマンドを発行したり、ミキシング・アンプ回路２５０に対し、初期値を設定するコマンドを発行したりする。なお、表示制御ＩＣ２１０およびミキシング・アンプ回路２５０に対する初期値には、データ源をデジタル放送受信回路部１００と情報処理部３００の両方として、それらを合成させる旨の設定値を与えてもよい。なお、情報処理機能部３００の起動処理が完了するまでは、データ源をデジタル放送受信回路部１００のみとする設定値を与えておいてもよい。なお、固定で両方の画面を表示させるといった仕様であれば、情報処理機能部３００の起動処理が完了するまでは、情報処理機能部３００用に割り当てた領域を黒色等で表示させておくための初期データを設定しておけばよい。
【００８０】
また、制御マイコン５０は、デジタル放送受信回路部１００とＡＶ回路部２００の間のＴＶ視聴用バスＢ２も初期化する。また、Ｂｕｓコントローラ１４０に対し、少なくともデジタル放送受信回路部１００からバッファ用メモリ１５０へのデータの排出ができるよう初期値を設定するコマンドを発行してもよい。
【００８１】
制御マイコン５０は、初期化処理が完了すると、デジタル放送受信回路部１００にＴＳデータの受信を開始させる。デジタル放送受信回路部１００では、デジタルチューナ１１０がＴＳデータの受信を開始し、ＴＳデータを受信すると、ＭＰＥＧデコーダ１２０が受信したＴＳデータをデコードする。制御マイコン５０は、ＭＰＥＧデコーダ１２０がＴＳデータのデコード処理を完了したことを受けて、デコードして得られたＡＶデータを、ＴＶ視聴用バスＢ２を用いてＡＶ回路部２００に出力させるとともに、ＡＶ回路部２００に映像の表示および音声の再生を開始させる。
【００８２】
ＡＶ回路部２００では、ＶＩＤＥＯ信号変換回路２２０が、デジタル放送受信回路部１００から出力されるビデオ信号に対してフォーマット変換を行う。そして、表示制御ＩＣ２１０が、フォーマット変換されたビデオ信号に対して、スケーリング処理等を行いつつ、表示信号に変換してモニタ２に出力する。
【００８３】
また、ＡＶ回路部２００では、上記ビデオ信号処理に並行して、Ｄ−Ａコンバータ２５０が、デジタル放送受信回路部１００から出力されるオーディオ信号をアナログ信号に変換する。そして、ミキシング・アンプ回路２４０が、アナログ信号に変換されたオーディオ信号に対して、ミキシングや音量制御を行い、スピーカ３に出力する。このようにして、情報処理機能部３００の起動を待たずに、テレビ放送を視聴可能にする。
【００８４】
そして、情報処理機能部３００の初期化処理が進み、制御マイコン５０に、情報処理機能部３００からＡＶ回路部２００の初期化要求コマンドが発行される。制御マイコン５０は、既にＡＶ回路部２００の初期化を行っているので、特に何もしなくてもよい。なお、ＡＶ回路部２００に対し、デジタル放送受信回路部１００からのデータ（テレビ映像）と情報処理機能部３００からのデータ（表示画面データ）とを合成させるための制御を行ってもよい。また、合成ではなくデータ源を切り替えるよう制御を行うことも可能である。このようにして、情報処理機能部３００の起動を待たずに、テレビ放送を視聴可能にするとともに、情報処理機能部３００が起動した後は、情報処理機能部３００と連携して映像の表示と音声の再生とを行うことが可能となる。
【００８５】
なお、兼用モードもＰＣモードの一部として考え、情報処理機能部３００が起動した後は、情報処理機能部３００からの制御信号のみを受け付ける状態に移行してもよい。制御ボタン・リモコンＩ／Ｆ８０を介したユーザ操作の情報については、情報処理機能部３００で受け付けさせて、情報処理機能部３００からの制御信号として受け付ければよい。
【００８６】
また、図１０は、録画・再生を行う場合の各ユニットの稼働状態の例を示す説明図である。図１０でも、稼働しているユニットを実線で表し、稼働していないユニットを点線で表している。なお、本例では、テレビ視聴モードで稼働中に録画の開始が指示された場合を例に説明する。なお、テレビ視聴モードでの起動処理は、図７を例に説明した場合と同様でよい。
【００８７】
ここで、ユーザが、当該パーソナルコンピュータ１に向けて録画の開始を指示する操作をしたとする。これに対し、当該パーソナルコンピュータ１では、制御ボタン・リモコンＩ／Ｆ８０がユーザ操作の内容を示す情報を制御マイコン５０に入力する。
【００８８】
制御マイコン５０は、ユーザ操作の内容を示す情報として録画の開始を指示する旨の情報を受け取ると、情報処理機能部３００が未起動であれば、電源制御回路７０を制御して、情報処理機能部３００に電力を供給させるとともに、デジタル放送受信回路部１００が受信したＴＳデータを情報処理機能部３００に含まれるハードディスク等の記憶媒体に保持させるべく、Ｂｕｓコントローラ１４０に対し排出コマンドを発行する。Ｂｕｓコントローラ１４０は、制御マイコン５０から排出コマンドが発行された際に、情報処理機能部３００が受け取り可能でない場合には、バッファ用メモリ１５０に蓄積させる。そして、情報処理機能部３００から受け取り可能になった旨の通知を受けた後、実際にデータの排出を行う。バッファ用メモリ１５０に、情報処理機能部３００の起動時間分のＴＳデータを蓄積できるだけの記憶容量をもたせることで、スムーズな録画への移行を可能にしている。
【００８９】
なお、情報処理機能部３００に含まれるハードディスク等の記憶媒体に保持させたＴＳデータの再生は、ユーザからの再生操作に応じて、制御マイコン５０を経由した情報処理機能部３００からの指示に応じて、デジタル放送受信回路部１００にて復元されデコード信号としてＡＶ回路部２００に入力すればよい。
【００９０】
以上のように、本実施形態によれば、ＴＳデータの受信用回路だけでなく、ＴＳデータの復元用の回路と映像音声信号の合成回路とを情報処理機能部とは独立に設け、制御信号を制御マイコン経由で行うようにしているので、テレビ視聴を単独で（情報処理機能部を用いずに）行うことが可能である。従って、デジタル放送を視聴可能な情報処理装置において、確実に起動時間を短縮させることが可能である。また、情報処理機能部による表示画面とＴＶの表示画面とを合成させることも容易である。また、デジタル放送を視聴するのに必要でないユニットに対して電源制御を行うことにより、電力消費の無駄をなくすことができる。
【００９１】
また、録画の際には、情報処理機能部のメモリを利用することで、装置全体で必要な記憶容量が増加することを防いでいる。また、その上で、バスコントローラを制御し、バッファ用メモリを利用することで、単独の視聴状態から情報処理機能部を起動した場合であっても、その起動時間を待たずに録画を開始することが可能である。
【００９２】
なお、上記実施形態では、情報処理装置にテレビ機能を組み込んだ例において、起動時間の短縮を確実に行うよう構成した例を示したが、本発明では、テレビ機能と情報処理機能との独立性を高めることに着目をしたことにより、図１１に示すように、単独でテレビ視聴可能にするための構成要素を、液晶ディスプレイ等の表示装置に実装する形態も可能である。図１１は、本発明によるディスプレイ装置の構成例を示すブロック図である。なお、図１１に示す例は、図１に示した情報処理装置１と対比させた構成例として示している。
【００９３】
すなわち、情報処理機能を実現するための情報処理機能部１０として、第１の制御部１１と、第１の制御プログラム記憶部１２と、メモリ１３とを備えた情報処理装置１と組み合わせて用いられるディスプレイ装置１ａが、第２の制御部２１と、第２のプログラム記憶部２２と、デジタル放送受信部３０と、ＡＶ出力部４０とを備える。なお、各構成要素の機能は、図１で示した構成要素と同様である。
【００９４】
本実施形態では、情報処理機能部１０とのインタフェース（具体的には、第２の制御部２１との制御信号のインタフェース、デジタル放送受信部３０との放送データのインタフェース、ＡＶ出力部４０とのＡＶデータのインタフェース）を、ＵＳＢ等の一般的な情報処理装置との汎用バスにて構成する。
【００９５】
このような構成によって、テレビ機能を有しない情報処理装置を、テレビ機能を有する情報処理装置にすることができる。
【００９６】
本実施形態によれば、ディスプレイ装置に情報処理装置本体と連携可能にテレビ機能を組み込み、録画データの保存先に情報処理装置本体の記憶メディアを利用することで、情報処理装置用のモニタとして用いつつ、単独でのテレビ視聴と、本体が備える記憶メディアへの録画とを行うことができる。例えば、単独でのテレビ視聴が可能ないわゆる液晶テレビの場合、テレビ本体にハードディスク等の記憶媒体を有することで録画が可能になるが、録画データに対し細かな制御はできない。しかし、本発明を用いれば、情報処理装置を使った細かな制御が可能になる。なお、ディスプレイ装置でのテレビ視聴にかかる起動時間は、情報処理装置本体の起動を要しないことから、液晶テレビ相当の時間ですむ。
【産業上の利用可能性】
【００９７】
本発明は、パーソナルコンピュータに限らず、テレビ視聴機能を含む複数の機能を実装する情報処理装置に好適に適用可能である。
【図面の簡単な説明】
【００９８】
【図１】本発明による情報処理装置の構成例を示すブロック図である。
【図２】本発明による情報処理装置の他の構成例を示すブロック図である。
【図３】本発明の一実施形態としてのパーソナルコンピュータ１の構成例を示すブロック図である。
【図４】パーソナルコンピュータ１における電源制御の例を示す説明図である。
【図５】デジタル放送受信回路部１００の構成例を示すブロック図である。
【図６】ＡＶ回路部２００の構成例を示すブロック図である。
【図７】テレビ視聴モードで起動された場合の各ユニットの稼働状態の例を示す説明図である。
【図８】ＰＣモードで起動された場合の各ユニットの稼働状態の例を示す説明図である。
【図９】テレビ機能と情報処理機能とを両方動作させる場合の各ユニットの稼働状態の例を示す説明図である。
【図１０】録画・再生を行う場合の各ユニットの稼働状態の例を示す説明図である。
【図１１】本発明によるディスプレイ装置の構成例を示すブロック図である。
【符号の説明】
【００９９】
１  情報処理装置，パーソナルコンピュータ
１ａ  ディスプレイ装置
１０  情報処理機能部
１１  第１の制御部
１２  第１のプログラム記憶部
１３  メモリ
２１  第２の制御部
２２  第２のプログラム記憶部
２３  電源制御部
２４  バスコントローラ
２５  バッファ用メモリ
３０  デジタルテレビジョン放送受信部（デジタル放送受信部）
４０  オーディオ−ビデオ出力部（ＡＶ出力部）
Ｂ１  汎用バス
Ｂ２  ＴＶ視聴用バス
【図１】
2009253377.tif 000003
【図２】
2009253377.tif 000004
【図３】
2009253377.tif 000005
【図４】
2009253377.tif 000006
【図５】
2009253377.tif 000007
【図６】
2009253377.tif 000008
【図７】
2009253377.tif 000009
【図８】
2009253377.tif 000010
【図９】
2009253377.tif 000011
【図１０】
2009253377.tif 000012
【図１１】
2009253377.tif 000013